(57)【要約】【課題】手にジャストフィットするフィッシング用のグローブの提供。【解決手段】グローブ１０は筒状を呈し、掌側シート２３と第１甲側シート２４と第２甲側シート２５とを有する。これら各シート２３〜２５は、弾性を有し、釣人が手を挿入した状態で５本の指１１〜１５が露出するように縫合されている。掌側シート２３は、掌側の手首から示指１２、中指１３、環指１４及び小指１５の中手指節間関節並びに母指１１の指節間関節までを覆う。第１甲側シート２４は、甲側の手首から示指１２、中指１３、環指１４及び小指１５の中手指節間関節までを覆う。第２甲側シート２５は、手掌側シート２３と協働して母指手根中手関節から母指１１の指節間関節までを囲繞する。掌側シート２３及び第１甲側シート２４は、甲側で曲線に沿って縫合されている。【選択図】図２
2008308796.tif 000002
【特許請求の範囲】
【請求項１】
釣人の手の掌側を覆う掌側シート並びに釣人の手の甲側を覆う第１甲側シート及び当該第１甲側シートに連結された第２甲側シートを有し、当該掌側シート、第１甲側シート及び第２甲側シートのそれぞれの周縁部は、釣人が手を挿入した状態で各指が露出するように縫合されているフィッシング用のグローブであって、
掌側シートは、掌側の手首から示指、中指、環指及び小指のそれぞれの中手指節間関節並びに母指の指節間関節までを覆う弾性シートからなり、
第１甲側シートは、甲側の手首から示指、中指、環指及び小指のそれぞれの中手指節間関節までを覆う弾性シートからなり、
第２甲側シートは、手掌側シートの母指を覆う部位と協働して母指手根中手関節から母指の指節間関節までを囲繞する弾性シートからなり、
上記掌側シート及び第１甲側シートは、甲側で曲線に沿って縫合されているグローブ。
【請求項２】
上記掌側シート、第１甲側シート及び第２甲側シートは、クロロプレンゴムを含んでいる請求項１に記載のグローブ。
【請求項３】
上記掌側シートの表面は、エンボス加工が施されたクロロプレンゴムが露出しており、
上記第１甲側シート及び第２甲側シートの表面は、ジャージー生地により被覆されている請求項２に記載のグローブ。
【発明の詳細な説明】
【技術分野】
【０００１】
本発明は、グローブ、特に釣りの際に釣人が着用するグローブの構造に関するものである。
【背景技術】
【０００２】
例えばルアーフィッシングでは、釣人はロッドを操作することによってルアーを所望のポイントにキャストする。釣人は、正確なキャスティングを実現するためにロッドを確実に把持する必要があり、そのため、グローブを着用することがある（例えば、特許文献１〜特許文献５参照）。また、グローブは、釣人の手にフィットするものでなければならず、そのために従来からさまざまな工夫がなされている（例えば、特許文献６〜特許文献１１参照）。
【０００３】
【特許文献１】特開２００５−４２２５１号公報
【特許文献２】特開２００１−３２１１３号公報
【特許文献３】特開２０００−１４２９７号公報
【特許文献４】特開平１１−２４７００９号公報
【特許文献５】特開平７−２６４０３号公報
【特許文献６】特開２００７−１００２７５号公報
【特許文献７】特開２００６−２９１４００号公報
【特許文献８】特開２００２−６５９２８号公報
【特許文献９】特開２００１−２９９９８２号公報
【特許文献１０】特開平１０−１５８９１２号公報
【特許文献１１】特開平９−２７１５５５号公報
【発明の開示】
【発明が解決しようとする課題】
【０００４】
釣人は、母指と指指との間に釣竿を配置し、主として中指、環指及び小指を使って釣竿を把持する。そのため、釣人がグローブを着用したときは、グローブを構成する生地が特に小指及び小指球にフィットすることがきわめて重要である。
【０００５】
そこで、本発明は、釣人が釣竿を確実に把持して釣竿を思い通りに操作することができるフィッシング用のグローブを提供することである。
【課題を解決するための手段】
【０００６】
(1) 上記目的が達成されるため、本発明に係るグローブは、釣人の手の掌側を覆う掌側シート並びに釣人の手の甲側を覆う第１甲側シート及び当該第１甲側シートに連結された第２甲側シートを有し、当該掌側シート、第１甲側シート及び第２甲側シートのそれぞれの周縁部は、釣人が手を挿入した状態で各指が露出するように縫合されているフィッシング用のグローブである。掌側シートは、掌側の手首から示指、中指、環指及び小指のそれぞれの中手指節間関節並びに母指の指節間関節までを覆う弾性シートからなる。第１甲側シートは、甲側の手首から示指、中指、環指及び小指のそれぞれの中手指節間関節までを覆う弾性シートからなる。第２甲側シートは、手掌側シートの母指を覆う部位と協働して母指手根中手関節から母指の指節間関節までを囲繞する弾性シートからなる。そして、上記掌側シート及び第１甲側シートは、甲側で曲線に沿って縫合されている。
【０００７】
このグローブは筒状に形成されており、釣人がこのグローブに手を挿入すると、示指、中指、環指及び小指は、それぞれ、中手指節間関節から先の部分が露出すると共に、母指は、指節間関節から先の部分が露出する。換言すれば、掌側シートは、釣人の手の掌側を覆い、手首から示指、中指、環指及び小指のそれぞれの中手指節間関節までを覆うと共に母指の指節間関節までを覆う。また、第１甲側シートは、釣人の手の甲側を覆い、手首から示指、中指、環指及び小指のそれぞれの中手指節間関節までを覆う。さらに、第２甲側シートは、釣人の手の甲側を覆い、上記手掌側シートの母指を覆う部位と協働して母指手根中手関節から母指の指節間関節までを囲繞する。
【０００８】
掌側シート、第１甲側シート及び第２甲側シートは弾性シートから構成されるので、釣人は、グローブをきわめて容易に着脱することができる。しかも、掌側シート及び第１甲側シートが甲側で曲線に沿って縫合されているから、両者は平面的に重なり合うことなく両者間に空間が形成された立体的位置関係を構成する。すなわち、このグローブは、非使用状態であっても掌側シート、第１甲側シート及び第２甲側シートが互いにぴったりと当接し合うことがなく、立体的形状を呈する。したがって、釣人がグローブに手を挿入したときは、掌側シート及び第１甲側シートが少なくとも釣人の小指及び小指球にジャストフィットする。
【０００９】
(2) 上記掌側シート、第１甲側シート及び第２甲側シートは、クロロプレンゴムを含んでいるのが好ましい。
【００１０】
この構成により、掌側シート、第１甲側シート及び第２甲側シートが弾性に富むと共に適度な剛性を備える。したがって、掌側シート、第１甲側シート及び第２甲側シートは、釣人の手の外形形状に追従しやすい立体的形状を呈する。その結果、グローブは、釣人の手の全体にジャストフィットする。
【００１１】
(3) 上記掌側シートの表面は、エンボス加工が施されたクロロプレンゴムが露出しているのが好ましい。そして、上記第１甲側シート及び第２甲側シートの表面は、ジャージー生地により被覆されているのが好ましい。
【００１２】
掌側シートの表面にエンボス加工が施されたクロロプレンゴムが露出していれば、釣人がロッドを握った際に優れた滑止効果が発揮される。また、第１甲側シート及び第２甲側シートの表面がジャージー生地により被覆されていれば、手触りが良く、商品としてのグローブの価値が向上する。
【発明の効果】
【００１３】
本発明によれば、掌側シート及び第１甲側シートが少なくとも釣人の小指及び小指球にジャストフィットするから、釣人はロッドを確実に把持し円滑に操作することができる。その結果、例えば、釣人は、実釣において正確なキャスティングが可能となる。
【発明を実施するための最良の形態】
【００１４】
以下、適宜図面が参照されつつ、好ましい実施形態に基づいて本発明が詳細に説明される。
【００１５】
図１及び図２は、本発明の一実施形態に係るグローブの使用状態における斜視図である。図１は使用者の掌側から見た斜視図であり、図２は甲側から見た斜視図である。
【００１６】
このグローブ１０は、主としてフィッシング用として使用される。釣人は、グローブ１０を手に装着し、ロッドを把持し操作する。図１及び図２では、釣人は、右手にのみグローブ１０を装着しているが、実釣においては両手に装着する場合もある。なお、その場合、左手用のグローブは、グローブ１０と左右対称に構成されることは言うまでもない。
【００１７】
本実施形態に係るグローブ１０の特徴とするところは、当該グローブ１０を構成する生地が後述のように縫合されている点であり、これにより、グローブ１０は釣人の手にジャストフィットするようになっている。
【００１８】
グローブ１０は、全体として筒状に形成されている。そして、釣人がグローブ１０を着用したときは、これらの図が示すように、釣人の母指１１の指節間関節１６よりも先端側部分が露出し、また、釣人の示指１２、中指１３、環指１４及び小指１５のそれぞれの中手指節間関節１７〜２０よりも先端側部分が露出する。
【００１９】
グローブ１０は、掌側シート２３と、第１甲側シート２４と、第２甲側シート２５と、縁取テープ２１、２２とを有する。釣人がグローブ１０を装着した状態では、掌側シート２３が釣人の手の掌側を覆い、第１甲側シート２４及び第２甲側シート２５が釣人の手の甲側を覆う。
【００２０】
図３は掌側シート２３の平面図、図４は第１甲側シート２４の平面図、図５は第２甲側シート２５の平面図である。また、図６は図３におけるVI−VI断面図、図７は図４におけるVII−VII断面図、図８は図５におけるVIII−VIII断面図である。
【００２１】
図３が示すように、掌側シート２３は、略短冊状に形成された本体部２６と、本体部２６の一方の側縁２７に連続して形成された枝部２８（母指を覆う部位）とを有する。掌側シート２３は、単一のシートからなり、本体部２６及び枝部２８は一体的に形成されている。同図及び図６が示すように、掌側シート２３は、クロロプレンゴムシート２９（弾性シート）とジャージー３０とを備えている。ジャージー３０は、クロロプレンゴムシート２９の内側面３１に貼着されている。ジャージー３０は例えばナイロンからなり、接着剤等により上記内側面３１の全体を覆うように固定されている。
【００２２】
上記本体部２６は、釣人の手の掌側の手首から示指１２、中指１３、環指１４及び小指１５のそれぞれの中手指節間関節１７〜２０までの部分を覆う。また、上記枝部２８は、釣人の手の掌側の母指１１の指節間関節１６までの部分を覆う。掌側シート２３の他方の縁部３２は、図３が示すように外方へ突出するように湾曲している。この縁部３２の形状は特に限定されるものではなく、要するに曲線を呈するように形成されていればよい。さらに、本実施形態では、この掌側シート２３の表面、すなわち上記クロロプレンゴムシート２９の外側面にエンボス加工が施されている。このエンボス加工による作用効果については後述される。
【００２３】
図４が示すように、第１甲側シート２４は、掌側シート２３と同様に略短冊状に形成されている。同図及び図７が示すように、第１甲側シート２４は、クロロプレンゴムシート３３（弾性シート）とジャージー３４、３５とを備えている。ジャージー３４は、クロロプレンゴムシート３３の内側面３６に貼着されており、ジャージー３５は、クロロプレンゴムシート３３の外側面３７に貼着されている。ジャージー３４、３５は、それぞれ、例えばナイロンからなる。ジャージー３４は、接着剤等により上記内側面３６の全体を覆うように固定されており、ジャージー３５は、接着剤等により上記外側面３７の全体を覆うように固定されている。
【００２４】
第１甲側シート２４は、釣人の手の甲側の手首から示指１２、中指１３、環指１４及び小指１５のそれぞれの中手指節間関節１７〜２０までの部分を覆う。第１甲側シート２４の一方の縁部３８は、図４が示すように内側へ湾曲している。この縁部３８の形状は特に限定されるものではなく、要するに曲線を呈するように形成されていればよい。ただし、この縁部３８の長さは、上記掌側シート２３の他方の縁部３２の長さに合致している。すなわち、第１甲側シート２４の縁部３８の上端３９から当該縁部３８に沿って下端４０に至る経路長は、掌側シート２３の縁部３２の上端４１から当該縁部３２に沿って下端４２に至る経路長と一致している。
【００２５】
第１甲側シート２４の他方の縁部４３も曲線状に形成されている。この縁部４３は、第１曲線部４４、第２曲線部４５及び第３曲線部４６を備えている。第２曲線部４５は、後に詳述される第２甲側シート２５が取り付けられる部分である。第２曲線部４５は、同図が示すように内側へ湾曲している。このため、第２甲側シート２５は、第１甲側シート２４に対して立体的に取り付けられるようになっている。第１曲線部４４及び第３曲線部４６は、第２曲線部４５に対して第２甲側シート２５が皺を発生させることなく滑らかに取り付けられるように所定の曲線形状を呈している。
【００２６】
図５が示すように、第２甲側シート２５は、略扇状に形成されている。同図及び図８が示すように、第２甲側シート２５は、クロロプレンゴムシート４７（弾性シート）とジャージー４８、４９とを備えている。ジャージー４８は、クロロプレンゴムシート４７の内側面５０に貼着されており、ジャージー４９は、クロロプレンゴムシート４７の外側面５１に貼着されている。ジャージー４８、４９は、それぞれ、例えばナイロンからなる。ジャージー４８は、接着剤等により上記内側面５０の全体を覆うように固定されており、ジャージー４９は、接着剤等により上記外側面５１の全体を覆うように固定されている。
【００２７】
第２甲側シート２５は、連結縁５２と第１側縁５３と第２側縁５４と上縁５５とを備えている。連続縁５２が第１甲側シート２４の第２曲線部４５に縫合される。第１側縁５３及び第２側縁５４は、後述されるように掌側シート２３の枝部２８に縫合される。
【００２８】
グローブ１０は、次の要領で縫製される。
【００２９】
まず、第１甲側シート２４は、図４が示す形状に裁断される。また、第２甲側シート２５は、図５が示す形状に裁断される。第１甲側シート２４に第２甲側シート２５が縫い付けられる。具体的には、第２甲側シート２５の連続縁５２と第１甲側シート２４の第２曲線部４５とが位置合わせされ、両者が縫い合わせられる。このとき、両者が曲線状を呈しているから、第２甲側シート２５の連続縁５２と第１甲側シート２４の第２曲線部４５とが縫い合わせられると、両者が立体的に湾曲し、両者の内側面３６、５０が釣人の母指１１の外面に沿うようになる（図２参照）。
【００３０】
次に、第１甲側シート２４及び第２甲側シート２５に対して掌側シート２３が縫い付けられる。このとき、掌側シート２３の周縁部が第１甲側シート２４及び第２甲側シート２５の周縁部に縫い合わせられる。具体的には、掌側シート２３の他方の縁部３２（図３参照）は、第１甲側シート２４の一方の縁部３８（図４参照）と縫い合わせられる。また、第２甲側シート２４の第１側縁５３（図５参照）が掌側シート２３の枝部２８の第１側縁５６（図３参照）に縫い合わせられ、第２甲側シート２４の２側縁５４（図５参照）が上記枝部２８の第２側縁５７（図３参照）に縫い合わせられる。そして、第１甲側シート２４の第１曲線部４４（図４参照）が掌側シート２３の側縁２７の上部５８（図３参照）に縫い合わせられ、第１甲側シート２４の第３曲線部４６（図４参照）が掌側シート２３の側縁２７の下部５９（図３参照）に縫い合わせられる。
【００３１】
掌側シート２３並びに第１甲側シート２４及び第２甲側シート２５が前述のように縫い合わせられることにより、筒状のグローブ１０が形成される。すなわち、図２が示すように、グローブ１０の上端部分及び下端部分に開口６０、６１が形成されると共に、掌側シート２３の枝部２８の端縁６２（図３参照）と、第２甲側シート２５の上縁５５（図５参照）とによって開口６２が形成される。図１及び図２が示すように、釣人は、上記開口６１から手を挿入し、上記開口６０から示指１２、中指１３、環指１４及び小指１５を露出させると共に上記開口６２から母指１１を露出させる。この状態で、掌側シート２３は、釣人の手の掌側を覆う。すなわち、釣人の手首から示指１２、中指１３、環指１４及び小指１５のそれぞれの中手指節間関節１７〜２０まで及び母指１１の指節間関節１６までが掌側シート２３によって覆われる。また、第１甲側シート２４は、釣人の手の甲側を覆う。すなわち、釣人の手首から示指１２、中指１３、環指１４及び小指１５のそれぞれの中手指節間関節１７〜２０までが第１甲側シート２４によって覆われる。さらに、第２甲側シート２５は、釣人の手の甲側を覆う。すなわち、第２甲側シート２５は、上記手掌側シート２３の枝部２８と協働して釣人の母指手根中手関節から母指１１の指節間関節１６までを囲繞する。
【００３２】
掌側シート２３、第１甲側シート２４及び第２甲側シート２５は弾性を有するシートから構成されるので、釣人は、グローブ１０を手に装着する作業及びグローブ１０を手から取り外す作業をきわめて容易に行うことができる。しかも、掌側シート２３の他方の縁部３２と第１甲側シート２４の一方の縁部３８とが縫い合わせられることにより、図２が示すように、掌側シート２３及び第１甲側シート２４が甲側で曲線６３に沿って縫合されている。したがって、掌側シート２３と第１甲側シート２４とが平面的に重なり合うことはなく、両者は、両者間に空間が形成された立体的位置関係を構成する。すなわち、このグローブ１０は、非使用状態であっても掌側シート２３、第１甲側シート２４及び第２甲側シート２５が互いにぴったりと当接し合うことがなく、内部に空間が形成された立体的形状を呈する。
【００３３】
これにより、釣人がグローブ１０に手を挿入したときは、掌側シート２０及び第１甲側シート２４が少なくとも釣人の小指１５及び小指球６４（図１参照）にジャストフィットする。その結果、釣人はロッドを確実に把持し円滑に操作することができ、釣人は、たとえば実釣において正確なキャスティングが可能となる。
【００３４】
特に本実施形態では、上記掌側シート２３、第１甲側シート２４及び第２甲側シート２５は、クロロプレンゴムシートから構成されているから、掌側シート２３、第１甲側シート２４及び第２甲側シート２５が弾性に富むだけでなく、適度な剛性をも備える。したがって、掌側シート２３、第１甲側シート２４及び第２甲側シート２５は、釣人の手の外形形状に追従しやすくなり、その結果、グローブ１０は、釣人の手の全体にジャストフィットするという利点がある。
【００３５】
さらに、本実施形態に係るグローブ１０では、上記掌側シート２３の表面にエンボス加工が施されている。すなわち、グローブ１０の掌側は、クロロプレンゴムシート２９が露出しており、且つ表面に凹凸が形成されている。これにより、釣人がロッドを握った際に優れた滑止効果が発揮されるという利点がある。加えて、本実施形態では、上記第１甲側シート２４及び第２甲側シート２５の表面がジャージー生地により被覆されている。これにより、釣人にとってグローブ１０の手触りが良く、商品としての価値が向上する。
【産業上の利用可能性】
【００３６】
本発明は、フィッシング用のグローブに適用され得る。
【図面の簡単な説明】
【００３７】
【図１】図１は、本発明の一実施形態に係るグローブの使用状態における斜視図である。
【図２】図２は、本発明の一実施形態に係るグローブの使用状態における斜視図である。
【図３】図３は、本発明の一実施形態に係るグローブの掌側シートの平面図である。
【図４】図４は、本発明の一実施形態に係るグローブの第１甲側シートの平面図である。
【図５】図５は、本発明の一実施形態に係るグローブの第２甲側シートの平面図である。
【図６】図６は、図３におけるVI−VI断面図である。
【図７】図７は、図４におけるVII−VII断面図である。
【図８】図８は、図５におけるVIII−VIII断面図である。
【符号の説明】
【００３８】
１０・・・グローブ
１５・・・小指
２３・・・掌側シート
２４・・・第１甲側シート
２５・・・第２甲側シート
２７・・・縁部
２８・・・枝部
２９・・・クロロプレンゴムシート
３０・・・ジャージー
３２・・・縁部
３３・・・クロロプレンゴムシート
３４・・・ジャージー
３５・・・ジャージー
３８・・・縁部
４３・・・縁部
４７・・・クロロプレンゴムシート
４８・・・ジャージー
４９・・・ジャージー
５３・・・第１側縁
５４・・・第２側縁
６３・・・曲線
６４・・・小指球
【図１】
2008308796.tif 000003
【図２】
2008308796.tif 000004
【図３】
2008308796.tif 000005
【図４】
2008308796.tif 000006
【図５】
2008308796.tif 000007
【図６】
2008308796.tif 000008
【図７】
2008308796.tif 000009
【図８】
2008308796.tif 000010